(57)【要約】【課題】高品質でバラツキ無い試験結果を効率的に得ることができるプラント監視システムの試験支援技術を提供する。【解決手段】プラント監視システムの試験支援装置１０は、複数の試験項目及びその試験順番に関する情報が少なくとも記述された試験リストを保持するリスト保持部１１と、接続される複数の機器１２（１２ａ，１２ｂ…１２ｚ）を制御する制御ユニット１３の出力信号１４に基づいて提供される表示画面１５を生成する画面生成部１７と、試験リストの試験順番に基づいて表示画面１５の画像データ１８の取得を指示するデータ取得指示部１９と、取得した画像データ１８を試験リストの試験項目にリンクさせるデータリンク部２１と、を備えている。【選択図】  図１
2015133015.tif 000002
【特許請求の範囲】
【請求項１】
複数の試験項目及びその試験順番に関する情報が少なくとも記述された試験リストを保持するリスト保持部と、
接続される複数の機器を制御する制御ユニットの出力信号に基づいて提供される表示画面を生成する画面生成部と、
前記試験リストの試験順番に基づいて前記表示画面の画像データの取得を指示するデータ取得指示部と、
取得した前記画像データを前記試験リストの試験項目にリンクさせるデータリンク部と、を備えることを特徴とするプラント監視システムの試験支援装置。
【請求項２】
請求項１に記載のプラント監視システムの試験支援装置において、
前記画面生成部は、複数の前記制御ユニットのそれぞれに対応して設けられ、
前記試験リストには、試験対象となる前記制御ユニットがさらに記述され、
前記データ取得指示部は、それぞれの前記画面生成部が生成した前記表示画面の前記画像データを前記試験リストの試験順番に基づいて取得させることを特徴とするプラント監視システムの試験支援装置。
【請求項３】
請求項１又は請求項２に記載のプラント監視システムの試験支援装置において、
前記表示画面の基礎となる前記出力信号を取得する出力信号取得部をさらに備え、
前記データリンク部は、取得した前記出力信号を前記試験リストの試験項目にリンクさせることを特徴とするプラント監視システムの試験支援装置。
【請求項４】
請求項１から請求項３のいずれか１項に記載のプラント監視システムの試験支援装置において、
前記データ取得指示部は、前記試験リストの試験順番に基づいてカメラによる撮影データの取得を指示し、
前記データリンク部は、取得した前記撮影データを前記試験リストの試験項目にリンクさせることを特徴とするプラント監視システムの試験支援装置。
【請求項５】
請求項１から請求項４のいずれか１項に記載のプラント監視システムの試験支援装置において、
前記リスト保持部は、前記制御ユニットの操作情報が記述された操作リストを前記試験項目に対応させて保持し、
前記操作情報から変換した操作信号を前記試験リストの試験順番に基づいて前記制御ユニットに入力する信号制御部をさらに備えることを特徴とするプラント監視システムの試験支援装置。
【請求項６】
請求項５に記載のプラント監視システムの試験支援装置において、
前記リスト保持部は、複数の前記機器のプロセス信号を模擬的に出入力する模擬デバイスの動作情報が記述された動作リストを前記試験項目に対応させて保持し、
前記信号制御部は、前記試験リストの試験順番に基づいて前記動作情報を前記模擬デバイスに出力し前記プロセス信号を出入力させることを特徴とするプラント監視システムの試験支援装置。
【請求項７】
複数の試験項目及びその試験順番に関する情報が少なくとも記述された試験リストを保持するステップと、
接続される複数の機器を制御する制御ユニットの出力信号に基づいて提供される表示画面を生成するステップと、
前記試験リストの試験順番に基づいて前記表示画面の画像データの取得を指示するステップと、
取得した前記画像データを前記試験リストの試験項目にリンクさせるステップと、を含むことを特徴とするプラント監視システムの試験支援方法。
【請求項８】
コンピュータに、
複数の試験項目及びその試験順番に関する情報が少なくとも記述された試験リストを保持するステップ、
接続される複数の機器を制御する制御ユニットの出力信号に基づいて提供される表示画面を生成するステップ、
前記試験リストの試験順番に基づいて前記表示画面の画像データの取得を指示するステップ、
取得した前記画像データを前記試験リストの試験項目にリンクさせるステップ、を実行させることを特徴とするプラント監視システムの試験支援プログラム。
【発明の詳細な説明】
【技術分野】
【０００１】
本発明の実施形態は、プラント監視システムの試験支援技術に関する。
【背景技術】
【０００２】
一般に発電プラントにおける監視システムは、複数台の制御ユニットから構成されており、プロセス信号や各機器の稼働状態を監視するための画面を、制御ユニット毎に表示することができる。
また、これらの画面は、制御ユニットごとに異なる画面で構成される場合や制御ユニットに共通した画面で構成される場合がある。
そして、規模が大きな発電プラントシステムの表示画面は、数百種類にものぼる。
【０００３】
このようなプラントシステムの表示画面の内容の確認試験では、試験員が試験手順書を元にして、各画面を操作し試験条件を設定して画面の表示内容を確認する方法が一般的である。
また、品質要求の高いプラント監視システムでは、試験結果のエビデンスとして確認した画面をすべて保管する必要がある。
【０００４】
これらの画像データを保管するために、試験において表示した画面のハードコピーを印刷している。
また、画面確認試験に限らず、機能試験などのその他の試験においても、試験結果のエビデンスとして画面のハードコピーを保管している。
また、現地でのハードウェアの復元確認試験やケーブル接続確認試験等においても撮影した写真やその他データを記録する場合がある。
このような状況において、試験における表示画面の確認作業を効率化する技術が開発されている（例えば、特許文献１，２，３）。
【先行技術文献】
【特許文献】
【０００５】
【特許文献１】特開２０１３−１４８６１７号公報
【特許文献２】特開２０１１−７５８２４号公報
【特許文献３】特開２０１３−９７６４０号公報
【発明の概要】
【発明が解決しようとする課題】
【０００６】
これら先行技術においては、試験結果のエビデンスとなる画像データの記録や整理に関しては、特に言及されていない。
このために、従来のプラント監視システムの試験における画面確認では、試験結果のエビデンスとして、確認した画面のハードコピーを印刷して保管していた。
【０００７】
ところで、試験対象となるプラント監視システムの表示画面には、データ入力画面、操作画面、監視画面など複数の画面が存在する。
そして、試験手順書には保管すべき画面の詳細までは記載されておらず、試験員によって保管する画面の種類や枚数にばらつきが生じていた。
【０００８】
また、試験実施後に保管した画像データを試験項目ごとに整理して保管する必要がある。しかし、規模の大きい発電プラントでは、保管する画像データが４０００枚を超える場合があり、データ整理作業に膨大な時間がかかっていた。
【０００９】
また、試験後のデータ整理作業時に画像データの取り漏れに気付く場合があり、再度画像データを取るための再試験を実施する場合があった。
また品質要求の高いプラント監視システムでは、システムを構成する装置本体のソフトウェアに試験用のプログラムを追加したり、装置が保持するデータベースにアクセスしたりすることが許されないという事情がある。
【００１０】
本発明の実施形態は、このような事情を考慮してなされたもので、高品質でバラツキ無い試験結果を効率的に得ることができるプラント監視システムの試験支援技術を提供することを目的とする。
【課題を解決するための手段】
【００１１】
本発明の実施形態に係るプラント監視システムの試験支援装置において、複数の試験項目及びその試験順番に関する情報が少なくとも記述された試験リストを保持するリスト保持部と、接続される複数の機器を制御する制御ユニットの出力信号に基づいて提供される表示画面を生成する画面生成部と、前記試験リストの試験順番に基づいて前記表示画面の画像データの取得を指示するデータ取得指示部と、取得した前記画像データを前記試験リストの試験項目にリンクさせるデータリンク部と、を備えることを特徴とする。
【発明の効果】
【００１２】
本発明の実施形態により、高品質でバラツキ無い試験結果を効率的に得ることができるプラント監視システムの試験支援技術が提供される。
【図面の簡単な説明】
【００１３】
【図１】本発明の第１実施形態に係るプラント監視システムの試験支援装置を示すブロック図。
【図２】第１実施形態に係るプラント監視システムの試験支援装置で適用される試験リストを示すテーブル。
【図３】本発明の第２実施形態に係るプラント監視システムの試験支援装置を示すブロック図。
【図４】第２実施形態に係るプラント監視システムの試験支援装置で適用される試験リストを示すテーブル。
【図５】本発明の第３実施形態に係るプラント監視システムの試験支援装置を示すブロック図。
【図６】第３実施形態に係るプラント監視システムの試験支援装置で適用される試験リストを示すテーブル。
【図７】本発明の第４実施形態に係るプラント監視システムの試験支援装置を示すブロック図。
【図８】第４実施形態に係るプラント監視システムの試験支援装置で適用される試験リストを示すテーブル。
【図９】本発明の第５実施形態に係るプラント監視システムの試験支援装置を示すブロック図。
【図１０】第５実施形態に係るプラント監視システムの試験支援装置で適用される操作リストを示すテーブル。
【図１１】本発明の第６実施形態に係るプラント監視システムの試験支援装置を示すブロック図。
【図１２】プラント監視システムの試験支援方法の実施形態を説明するフローチャート。
【発明を実施するための形態】
【００１４】
（第１実施形態）
以下、本発明の実施形態を添付図面に基づいて説明する。
図１に示すように第１実施形態に係るプラント監視システムの試験支援装置１０（以下、単に「支援装置１０」ともいう）は、複数の試験項目及びその試験順番に関する情報が少なくとも記述された試験リスト（図２）を保持するリスト保持部１１と、接続される複数の機器１２（１２ａ，１２ｂ…１２ｚ）を制御する制御ユニット１３の出力信号１４に基づいて提供される表示画面１５を生成する画面生成部１７と、試験リスト（図２）の試験順番に基づいて表示画面１５の画像データ１８の取得を指示するデータ取得指示部１９と、取得した画像データ１８を試験リスト（図２）の試験項目にリンクさせるデータリンク部２１と、を備えている。
【００１５】
原子力発電プラントのような複雑なプロセスプラントでは、数千点にもおよぶ複数の機器１２（例えば、ポンプ、温度計、開閉弁等）に出入力するプロセス信号２４が、複数台の制御ユニット１３に集約されている。
各々の制御ユニット１３は、共通のネットワークに接続され、中央管理室においてオペレータが機器１２を操作したりプロセス信号２４を監視したりできるように構成される。
【００１６】
この中央管理室に設置されるスクリーンには、プロセス信号２４に基づいて、デジタル表示、バーチャート表示、トレンドグラフ表示等といった表示方法に則ってレイアウトされる表示画面が表示される。
そして、オペレータは、入力端末を操作して表示画面を切り替えたりコマンドを入力したりして、プラント状態に関する所望の情報を得たり、プラント状態を変化させたりする。
【００１７】
このように原子力発電プラントに設置されている複数の制御ユニット１３のそれぞれは、操作信号の入力端末２２と画面表示部１６とを外付けできる仕様になっている。
これにより制御ユニット１３は、プラント停止時や工場出荷時等の検査時において、ネットワークから切り離して単独で試験できるように設計されている。
【００１８】
図２に示される試験リストのデータシートは、それぞれの試験順番に対して試験項目が記述されたセル、判定結果を入力するセル、画像データ１８をリンクするセルが割り付けられている。また、それぞれの試験項目に対応して、判定基準（図示略）を記述したセルが割り付けられる場合もある。
【００１９】
制御ユニット１３には、制御対象である複数の機器１２（１２ａ，１２ｂ…１２ｚ）が接続されているとともに、操作信号２３の入力端末２２も接続されている。
例えば、機器１２が開閉弁であれば、入力端末２２の操作により制御ユニット１３は、プロセス信号２４を送信してこの開閉弁を開状態／閉状態に切り替えることができる。
さらにこの開閉弁の開状態／閉状態を検知したプロセス信号２４が制御ユニット１３において受信される。
【００２０】
制御ユニット１３において受信されたプロセス信号２４は、ネットワークで伝送可能な出力信号１４として出力される。
画面生成部１７は、制御ユニット１３から受信した出力信号１４に基づいて、デジタル表示、バーチャート表示、トレンドグラフ表示等がレイアウトされた表示画面１５を生成し、表示部１６に表示させる。
【００２１】
データ取得指示部１９は、リスト保持部１１から試験リスト（図２）を読み込んで、それぞれの試験順番において表示部１６に表示された表示画面１５のハードコピー（画像データ１８）を取ることを画面生成部１７に指示する。
この表示画面１５の画像データ１８は、試験リストの試験順番に関連付けた識別ＩＤが付与されたうえで、蓄積部２０に蓄積される。
【００２２】
データリンク部２１は、蓄積部２０に蓄積されている画像データ１８を、付与されている識別ＩＤをキーとして試験リスト（図２）の試験項目にリンクさせる。
試験員は、試験リスト（図２）を閲覧して、試験項目（場合によってはさらに判定基準）とリンクされている画像データ１８とを確認し、判定結果の欄に試験の合否を記録する。
【００２３】
このように、第１実施形態では、制御ユニット１３の試験において、この制御ユニット１３にインストールされているソフトウェアやデータベースに変更やアクセスを行うことない。さらに、試験のエビデンスとなる表示画面の画像データ１８を取得して、試験リストにおける各試験項目に自動的にリンクさせて保管することができる。
【００２４】
これにより、表示されている表示画面のハードコピーを、試験確認結果のエビデンスとして、その都度印刷する必要はなくなり、印刷した画像データを試験項目にリンクさせる手間も省けることになる。
つまり、設定した試験順番に沿って試験項目を実施する度に、自動的に表示画面の画像データが試験項目にリンクされて記録されるため、試験作業の効率が向上する共に画面ハードコピーの取り漏れによる後戻り作業を防止することができる。
さらに、試験後の画面ハードコピーと試験順番とのリンクを人手で実施する必要がなくなるため、データ整理の作業効率の向上と人間系によるミスの防止を図ることができる。
【００２５】
（第２実施形態）
図３に示すように第２実施形態に係るプラント監視システムの試験支援装置１０では、画面生成部１７（１７ａ，１７ｂ）は複数の制御ユニット１３（１３ａ，１３ｂ）のそれぞれに対応して設けられ、試験リスト（図４）には試験対象となる制御ユニット１３がさらに記述され、データ取得指示部１９はそれぞれの画面生成部１７（１７ａ，１７ｂ）が生成した表示画面１５（１５ａ，１５ｂ）の画像データ１８（１８ａ，１８ｂ）を試験リスト（図４）の試験順番に基づいて取得させる。
なお、図３において図１と共通の構成又は機能を有する部分は、同一符号で示し、重複する説明を省略する。また、図３において試験対象となる制御ユニット１３は、二台のみ記載されているが、その台数に特に制限はない。
【００２６】
このように構成されることにより、画面生成部１７は、試験対象となる制御ユニット１３の台数に応じて設けられる。
そして、データ取得指示部１９は、読み込んだ試験リスト（図４）の試験順番に沿って対応する制御ユニット１３の表示画面の画像データ１８（１８ａ，１８ｂ）を蓄積部２０に蓄積していく。
なお、それぞれの試験順番において試験対象となる制御ユニット１３の台数は、一つに限定されることはない。そして、一つの試験順番で複数の制御ユニット１３が試験対象となる場合は、一つの試験項目にリンクされる画像データ１８は、複数となる。
【００２７】
これにより、複数の制御ユニット１３（１３ａ，１３ｂ）の試験を連続して実施し、一つの試験リストで管理することができる。
または、ネットワーク上で自律分散的に繋がる複数の制御ユニット１３の試験を、オフライン状態で実施し、そのエビデンスを記録することができる。
【００２８】
（第３実施形態）
図５に示すように第３実施形態に係るプラント監視システムの試験支援装置１０では、表示画面１５の基礎となる出力信号１４を取得する出力信号取得部２５をさらに備え、データリンク部２１は、取得した出力信号１４を試験リスト（図６）の試験項目にリンクさせる。
なお、図５において図１と共通の構成又は機能を有する部分は、同一符号で示し、重複する説明を省略する。また、図５において試験対象となる制御ユニット１３は、一台のみ記載されているが、その台数に特に制限はない。
【００２９】
ここで出力信号１４は、制御ユニット１３の側で定義された固有の識別ＩＤが付与されており、各機器１２のＯＮ／ＯＦＦ情報、警報有無に関するデジタル情報、各プロセス信号２４（温度、圧力、流量など）に関する数値情報等が具体的に挙げられる。
表示画面１５に表示されるパラメータ値やＯＮ／ＯＦＦ情報等の中には、この画面には表示されないいくつかの出力信号１４に基づいて計算されるかもしくは論理条件に基づいて表示されるものがある。
【００３０】
そこで、データ取得指示部１９は、表示部１６の画像データ１８の取得を指示するのと同期して、取得部２５に対してこの画像データ１８の基礎となる出力信号１４の取得を指示する。このようにして取得された出力信号１４は、試験リストの試験順番に関連付けた識別ＩＤが付与されたうえで、蓄積部２６に蓄積される。
そして、データリンク部２１は、蓄積部２６に蓄積されている出力信号１４を、付与されている識別ＩＤをキーとして試験リスト（図６）の試験項目にリンクさせる。
【００３１】
このように構成されることにより、それぞれの試験項目において、表示画面１５を生成する基礎となった出力信号１４を一括してエビデンスとして併せて記録し管理することができる。
これにより、試験結果が異常を示す場合、この試験結果の基礎となる制御ユニット１３の出力信号１４が記録されているため、原因究明の手掛かりが与えられる。
【００３２】
このように制御ユニット１３の出力信号１４が記録されていない場合は、原因究明にあたり、試験結果の異常時が内部信号の模擬値に問題があるのか、又は画面表示の論理条件や計算方法に問題があるのか、問題を切り分けるための再現確認試験の実施が要求されてしまう。
【００３３】
（第４実施形態）
図７に示すように第４実施形態に係るプラント監視システムの試験支援装置１０では、データ取得指示部１９は、試験リストの試験順番に基づいてカメラ２７による撮影データ２８の取得を指示し、データリンク部２１は、取得した撮影データ２８を試験リスト（図８）の試験項目にリンクさせる。
カメラ２７で撮影された静止画や動画といった撮影データ２８は、蓄積部２９において蓄積される。
なお、図７において図１と共通の構成又は機能を有する部分は、同一符号で示し、重複する説明を省略する。また、図７において試験対象となる制御ユニット１３は、一台のみ記載されているが、その台数に特に制限はない。
【００３４】
このように構成されることにより、プラントに設けられているランプの点灯状態等といったハードウェア状態の確認試験や現地におけるハードウェア復元試験を、カメラ２７による撮影データ２８で管理することができる。
ここで、カメラ２７は、支援装置１０とは別個独立の機器である場合や、支援装置１０をモバイル端末としてこのモバイル端末に組み込まれたものとする場合がある。
【００３５】
カメラ２７が携帯可能である場合は、データ取得指示部１９は、読み込んだ試験リスト（図８）の試験順番に沿って、カメラ２７による撮影対象の撮影を試験員に指示する。
カメラ２７が撮影対象の近傍に固定されている場合は、データ取得指示部１９は、読み込んだ試験リスト（図８）の試験順番に沿って、カメラ２７のシャッターを切るか又は録画を行う。
【００３６】
このようにして撮影された撮影データ２８は、試験リストの試験順番に関連付けた識別ＩＤが付与されたうえで、蓄積部２９に転送され蓄積される。
そして、データリンク部２１は、蓄積部２９に蓄積されている撮影データ２８を、付与されている識別ＩＤをキーとして試験リスト（図８）の試験項目にリンクさせる。
【００３７】
これにより、単に試験員による目視確認とその記憶に頼るだけでなく、プラントに設けられているハードウェア状態の試験のエビデンスを記録することができる。
さらに、撮影データ２８の整理を時間をかけることなく効率的に管理することができ、試験結果のトレーサビリティの向上を図ることができる。
また、現地でのハードウェア復元試験においては、現地にて、他の制御装置からの外線ケーブルが制御ユニットに接続され、図面通りに接続されていることの確認のエビデンスが、画像により残される。
【００３８】
（第５実施形態）
図９に示すように第５実施形態に係るプラント監視システムの試験支援装置１０では、リスト保持部１１は、制御ユニット１３の操作情報が記述された操作リスト（図１０）を試験項目に対応させて保持し、操作情報から変換した操作信号２３を試験リスト（図４）の試験順番に基づいて制御ユニット１３に入力する信号制御部３１をさらに備えている。
なお、図９において図１と共通の構成又は機能を有する部分は、同一符号で示し、重複する説明を省略する。また、図９において試験対象となる制御ユニット１３は、一台のみ記載されているが、その台数に特に制限はない。
【００３９】
このように構成されることにより、第１実施形態から第４実施形態において試験員が入力端末２２で行っていた操作信号２３の入力が、第５実施形態では操作リスト（図１０）に基づいて自動化される。
【００４０】
図１０に示すように、操作リストには、それぞれの試験項目における入力端末（マウス、キーボード等）の操作を特定するための操作情報（マウスＩＤ、指定座標、クリック情報、キーボードＩＤ、入力情報等）が試験項目毎に記述されている。
信号制御部３１は、リスト保持部１１から読み込んだ試験リスト（図２）の試験順番に従って、対応する操作情報を、操作リスト（図１０）から読み込んで、変換部３２に転送する。
操作信号変換部３２では、転送された操作情報を、制御ユニット１３が読み取り可能な操作信号２３に変換し、制御ユニット１３に送信する。
【００４１】
なお、データ取得指示部１９は、指定された試験順番に対し、信号制御部３１と同期して動作するために、操作リスト（図１０）の操作情報に従って表示された表示画面１５の画像データ１８が、この指定された試験順番にリンクされる。
【００４２】
これにより、表示画面の確認試験における制御ユニット１３の操作（画面上のボタン操作、キーボード入力）は自動的に実行され試験員が実施することがなくなる。
例えば８台の制御ユニット１３の確認試験を行う場合、従来であれば８人の試験員が各制御ユニット１３を操作して、表示画面の表示内容を確認する必要があったが、第５実施形態によれば、１人の試験員により、８台の制御ユニット１３をまとめて操作して確認試験を実施することができる。
したがって、試験員の人員の大幅削減が可能となり、各試験員の目視確認における見逃しや見誤りの発生を防止することができる。
【００４３】
（第６実施形態）
図１１に示すように第６実施形態に係るプラント監視システムの試験支援装置１０では、リスト保持部１１は、複数の機器１２（図１参照）のプロセス信号２４を模擬的に出入力する模擬デバイス３３の動作情報が記述された動作リスト（図示略）を試験項目に対応させて保持し、信号制御部３１は試験リスト（図４）の試験順番に基づいて動作情報を模擬デバイス３３に出力しプロセス信号２４を出入力させる。
なお、図１１において図９と共通の構成又は機能を有する部分は、同一符号で示し、重複する説明を省略する。また、図１１において試験対象となる制御ユニット１３は、一台のみ記載されているが、その台数に特に制限はない。
【００４４】
このように構成されることにより、第１実施形態から第５実施形態において制御ユニット１３に機器１２を実際に接続して行っていたプロセス信号２４の出入力が、第６実施形態では動作リスト（図示略）に基づいて動作する模擬デバイス３３を接続して行なわれることになる。
【００４５】
動作リスト（図示略）には、それぞれの試験項目における模擬デバイス３３の動作を特定するための動作情報（温度信号、圧力信号、弁の開閉信号、ポンプの動作信号等）が試験項目毎に記述されている。
信号制御部３１は、リスト保持部１１から読み込まれた試験リスト（図２）の試験順番に従って、対応する動作情報を、動作リスト（図示略）から読み込んで、模擬デバイス３３に転送する。
模擬デバイス３３は、転送された操作情報を、制御ユニット１３が読み取り可能な操作信号２３に変換し、制御ユニット１３に送信する。
【００４６】
なお、データ取得指示部１９及び操作信号変換部３２は、指定された試験順番に対し、模擬デバイス３３と同期して動作するために、動作情報に従って表示された表示画面１５の画像データ１８が、この指定された試験順番にリンクする。
これにより、模擬デバイス３３の操作を含めて自動化を図ることができるため、試験員の作業を単純化し試験時間の短縮を図ることができる。
【００４７】
図１２のフローチャートに基づいてプラント監視システムの試験支援方法を説明する。
まず、試験リスト（図２）から試験順番ｎ（＝１）の試験項目を起動する（Ｓ１１，Ｓ１２）。そして、動作リスト（図示略）からこの試験項目に対応する動作情報を起動し（Ｓ１３）、機器１２（又は模擬デバイス３３）と制御ユニット１３とがプロセス信号２４の交信を開始する（Ｓ１４）。
【００４８】
さらに、操作リスト（図１０）からこの試験項目に対応する操作情報を起動し（Ｓ１５）、制御ユニット１３が操作信号２３を入力する（Ｓ１６）。
制御ユニット１３の出力信号１４を受信して（Ｓ１７）、表示画面１５（監視画面）を生成して表示する（Ｓ１８）。
【００４９】
一方において、この表示画面１５（監視画面）のハードコピーをとり、その画像データ１８を蓄積し（Ｓ１９）、試験リスト（図２）の試験順番ｎ（＝１）にリンクさせる（Ｓ２０）。
試験番号ｎを更新して（Ｓ１２）から（Ｓ２０）のフローを繰り返し（Ｓ２１  Ｎｏ）、全ての試験項目を終了する（Ｓ２１  Ｙｅｓ，ＥＮＤ）。
【００５０】
以上述べた少なくともひとつの実施形態のプラント監視システムの試験支援装置によれば、表示画面の画像データを試験リストの試験項目に自動的にリンクさせることにより、高品質でバラツキ無い試験結果を効率的に得ることが可能となる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
また、プラント監視システムの試験支援装置の構成要素は、コンピュータのプロセッサで実現することも可能であり、プラント監視システムの試験支援プログラムにより動作させることが可能である。
【符号の説明】
【００５２】
１０…プラント監視システムの試験支援装置、１１…リスト保持部、１２（１２ａ，１２ｂ，…）…機器、１３…制御ユニット、１４…出力信号、１５…表示画面、１６…画面表示部（表示部）、１７…画面生成部、１８（１８ａ，１８ｂ）…画像データ、１９…データ取得指示部、２０…画像データ蓄積部（蓄積部）、２１…データリンク部、２２…入力端末、２３…操作信号、２４…プロセス信号、２５…出力信号取得部（取得部）、２６…出力信号蓄積部（蓄積部）、２７…カメラ、２８…撮影データ、２９…撮影データ蓄積部（蓄積部）、３１…信号制御部、３２…操作信号変換部（変換部）、３３…模擬デバイス。
【図１】
2015133015.tif 000003
【図２】
2015133015.tif 000004
【図３】
2015133015.tif 000005
【図４】
2015133015.tif 000006
【図５】
2015133015.tif 000007
【図６】
2015133015.tif 000008
【図７】
2015133015.tif 000009
【図８】
2015133015.tif 000010
【図９】
2015133015.tif 000011
【図１０】
2015133015.tif 000012
【図１１】
2015133015.tif 000013
【図１２】
2015133015.tif 000014